(57)【要約】 【課題】 建築現場などでボード類を接合するボルト、ナット板状体ならびに配管、配線、機器、天井材の止め具及び脱着工具を提供する。【解決手段】  本発明のボルト、ナット板状体ならびに配管、配線、機器、天井材の止め具は、ねじ山１ａを有する柱状体１にナット部材の孔内側の係止爪３ａ、３ｂから成り、回転により係止ボルトに対する螺合度を調整でき、かつ前記各係合爪をねじ山から離脱すべく外周側に拡開操作可能に構成したものであり建築現場などでボード類の接合、天井その他の高所に配管、配線、機器等の吊り下げ固定を極めて容易かつ安全迅速に行うことができ、作業性を大きく向上させることができると共に構造簡単にして実施容易である等の効果を有する。【選択図】    図1
2011185397.tif 000002
【特許請求の範囲】
【請求項１】
被取付部位に対して取付対象物を着脱自在に固定できる止め具であって、柱状体ボルト部と、ナット部材外周部の対峙する辺に凹部を穿設したナットとを組合せて成る止め具において、ナットはその内周側に弾性変形可能に突出する複数の係止爪を備え、ナット部材孔内側の係止爪が押し込まれて弾性変形しボルト本体と係合できることを特徴とする止め具。
【請求項２】
前記ナットの外周部の対峙する辺に凹部を穿設するナット部材外周部凹部に脱着工具挟持部先端凸を差込みにぎり部を握ると挟持部先端凸がナット外周側に拡開すると係止爪が弾性変形し、ねじ山より離れ歯合が解除できる事を特徴とする請求項1、記載の止め具。
【請求項３】
取付凹部を穿設するナットを脱着することが出来る脱着工具においてナット部の対峙する辺に凹部が設けられ係合突子に脱着工具の挟持先端凸が引っ掛るよう設けられ、脱着工具のにぎり部を握ると挟持部先端がナット外周側に開拡し脱着自在に出来ることを特徴とする脱着工具。
【発明の詳細な説明】
【技術分野】
【０００１】
本発明はボルト、ナット建築用等板状体の止め具、ならびに配管、配線、機器、天井材の懸架吊持する止め具及び脱着工具に関する。
【背景技術】
【０００２】
ボルト、ナットの止め具の構造としてはナット部材孔内側の係止爪がラチェット式に押し込まれて係止爪が弾性変形し止めるナットがある。
【先行技術文献】
【特許文献】
【０００３】
【特許文献１】特許  第3032135号
【特許文献２】実用新案  第3151014号
【発明の概要】
【発明が解決しようとする課題】
【０００４】
従来の技術、においてはナット部材をボルト本体から脱着するのに時間がかかる問題があった、実用新案  第3151014号においては、取外しに時間がかかる問題点があり、繰り返し脱着が出来なかったが、本発明は脱着構造を提供する。またナット部材の凹部に拡開工具狭持部先端の凸部を差し込み弾性変形した後係止爪がボルト部ねじ山より離れ歯合を解除される構造である。
【課題を解決するための手段】
【０００５】
上記の目的を達成するために、本発明における板状体止め具で柱状体ボルトとナット部材の孔内側の係止爪から成り、この係止爪がナット筒状部の中心線方向にやや傾斜して設けられており、係止爪が押し込まれて弾性変形し、所定位置に到達した後に姿勢復元してナット部材が抜けるのを防止し連結する構成としたものである。ナット部材の材質は合成樹脂、アルミ、鉄、ステンレス、りん青銅などの弾性変形に適した材質が望ましい。
また必要に応じて脱着工具にて歯合を解除することによりボルト部材からナット部材を迅速に取り外せるよう構成している。
【発明の効果】
【０００６】
上記の通り構成されているので、従来技術のねじ式は締め付け、取外しに時間がかかる問題があったが、構造がかんたんで、手袋をした状態や天井その他の高所、足場の悪い建築現場での作業困難な場所において接合締め付けが短時間に容易に確実に行える。しかも汎用の工具が使えないので、より封止効果が高くなる等優れた効果を奏するものである。
【図面の簡単な説明】
【０００７】
【図１】本発明の一実施例を示す止め具の分解斜視図
【図２】同上ナット係止爪のＡ−Ａ断面図
【図３】同上ナット係止爪弾性変形後の断面図
【図４】同上ボルトの正面図
【図５】同上の歯合状態を示す正面図
【図６】同上の歯合状態を示す側面図
【図７】同上の鋸歯状ナットの断面図
【図８】同上の鋸歯状ボルトの正面図
【図９】同上のナット部平面図
【図１０】同上のナット部底面図矢印はナット外周方向を示す
【図１１】同上の側面凹部に脱着工具先端凸部差し込んだ使用状態を示す断面図
【図１２】同上の側面凹部に脱着工具先端凸部差し込んで係止爪が開拡した状態を示す断面図
【図１３】同上の側面凹部に脱着工具先端凸部を差し込んで係止爪が開拡した状態を示す側面図
【図１４】脱着工具の側面図
【図１５】脱着工具の斜視図
【発明を実施するための形態】
【０００８】
図１に示すように止め具の分解斜視図を示し、1はボルト部、２はナット部材孔内周部の対峙する辺に係止爪３ａ、３ｂを穿設し、ナットの外周部の対峙する辺に凹部５ａを穿設する、６ａは係合穴子を示し、脱着工具先端凸部を引っ掛るよう設けられ係止爪がナット外周側に拡開すると脱着が容易に出来る。
【０００９】
図２はナット部係止爪３ａ、３ｂの弾性変形前を示し、図３にナット部係止爪３ａ、３ｂの弾性変形後を示している。
【００１０】
図５、はボルト、ナットの歯合状態を示す正面図。
【００１１】
図６はボルト、ナットの歯合状態を示す側面図を示す。
【００１２】
図７は鋸歯状ナットの断面図を示す。
【００１３】
図８は鋸歯状ボルトの正面図を示す。
【００１４】
図９はナット平面図を示し、２はナット本体、３ａ、３ｂは係止爪、４はスリット部を示す。
【００１５】
図１０はナット部の底面図を示し、矢印方向に係止爪３ａ、３ｂが弾性変形した後歯合を解除する構造。
【００１６】
図１１は止め具及び脱着工具を示し７aは脱着工具にぎりa、７bは脱着工具にぎりb、８aは挟持部ａ、８bは挟持部ｂ、９は支点を示す。
【００１７】
図１２はナット凹部５ａ、ｂに脱着工具先端凸部１０ａ、ｂを差し込んで脱着工具にぎりa、ｂを握ると係止爪３ａ、ｂがナット外周側に弾性変形しボルト部ねじ山より離れ、歯合を解除した状態を示す。
【００１８】
図１４は脱着工具の側面図を示し、７aは脱着工具にぎり、９は支点、１０aは挟持部先端凸部を示している。
【００１９】
図１５は脱着工具の斜視図を示し、７a、bは脱着工具にぎり、８a、８ｂは挟持部、９は支点、１０a、ｂは挟持部先端凸部を示している。
【符号の説明】
【００２０】
１・・・柱状体ボルト部
１a・・・ねじ山
２・・・ナット部
３ａ・・・係止爪ａ
３ｂ・・・係止爪ｂ
４・・・スリット
５ａ・・・凹部ａ
５ｂ・・・凹部ｂ
６ａ・・・係合突子ａ
６ｂ・・・係合突子ｂ
７a・・・脱着工具にぎりa
７b・・・脱着工具にぎりb
８a・・・挟持部ａ
８b・・・挟持部ｂ
９・・・支点
１０a・・・挟持部先端凸部ａ
１０b・・・挟持部先端凸部ｂ
【図１】
2011185397.tif 000003
【図２】
2011185397.tif 000004
【図３】
2011185397.tif 000005
【図４】
2011185397.tif 000006
【図５】
2011185397.tif 000007
【図６】
2011185397.tif 000008
【図７】
2011185397.tif 000009
【図８】
2011185397.tif 000010
【図９】
2011185397.tif 000011
【図１０】
2011185397.tif 000012
【図１１】
2011185397.tif 000013
【図１２】
2011185397.tif 000014
【図１３】
2011185397.tif 000015
【図１４】
2011185397.tif 000016
【図１５】
2011185397.tif 000017